(57)【要約】      （修正有）【課題】ダイレクトメールに添付物品を同封した際に、ダイレクトメールに添付する添付物品のアピール効果を高めるダイレクトメール用封筒を提供する。【解決手段】対向する第１面及び第２面を有し添付物品を内部に収納可能な本体部１と、本体部１の長さ方向の一端部を封鎖する底部２とからなり、全体が耐水性素材によって形成された封筒であって、底部２が面状となって展開可能に折り込まれ、本体部１の長さ方向と交差する方向に切断したとき、切り離された底部２側が自立して添加物品を用いるための自立性耐水容器として使用可能となり、第１面に宛名シールを貼るためのスペース部４が設けられ、第２面の内面上部に添付物品を収納するポケット部が設けられ、第２面のポケット部に対応した部分に透明窓部が設けられるとともに透明窓部の下側に添付物品の説明文及び自立性耐水容器としての説明文が表示される。【選択図】図１
0003191127.tif 000002
【実用新案登録請求の範囲】
【請求項１】
対向する第１面及び第２面を有し添付物品を内部に収納可能な本体部と、この本体部の長さ方向の１端部を封鎖する底部とからなり、全体が耐水性素材によって形成された封筒であって、
前記底部が面状となって展開可能に折り込まれ、前記本体部の長さ方向と交差する方向に切断したとき、切り離された底部側が自立して前記添加物品を用いるための自立性耐水容器として使用可能となっており、
前記第１面に宛名シールを貼るためのスペース部が設けられ、前記第２面の内面上部に前記添付物品を収納するポケット部が設けられ、前記第２面の前記ポケット部に対応した部分に透明窓部が設けられるとともに、透明窓部の下側に前記添付物品の説明文及び前記自立性耐水容器としての説明文が表示されていることを特徴とするダイレクトメール用封筒。
【請求項２】
前記添付物品は、植物の種又は植物の種と圧縮された植栽用土を含む発芽・植栽キットであり、前記自立性耐水容器は、発芽・植栽容器として用いることができることを特徴とする請求項１に記載のダイレクトメール用封筒。
【考案の詳細な説明】
【技術分野】
【０００１】
本考案は、ダイレクトメール用封筒に係り、より詳しくは、添付物品を同封して用いられるダイレクトメール用封筒に関する。
【背景技術】
【０００２】
近年、ダイレクトメールにおいて、開封率を高めて宣伝効果を高めるために、ダイレクトメールにパンフレット等のダイレクトメール文書とともに添付物品を同封することが行われるようになってきている。
しかしながら、ダイレクトメールに同封される添付物品は、ダイレクトメール封筒内でパンフレット等のダイレクトメール文書と混ざり合って取出しが煩雑になったり、内容物が判るように透明封筒を用いた場合にも添付物品が封筒内で位置ずれを起こしダイレクトメール文書と識別し難いことがあり、添付物品によるアピール効果が上がりにくいことがあるという問題があった。
【０００３】
このような封筒内の仕分けについて、引用文献１には、透明窓が設けられた外付けポケットを有する封筒が記載され、引用文献２には、開口窓を有するポケットを有する封筒が記載されている。これらの文献に記載された封筒には、内容物を仕分けるためのポケットはあるものの、当該ポケットは、外部との開口部を有しているため、添付物品を入れると落下する恐れがあり、添付物品を同封して用いられるダイレクトメール用封筒として用いるには適していない。
【０００４】
また、ダイレクトメールの添付物品が、植物の種などのように用いるために何らかの容器を必要とする場合、わざわざ容器を調達しなければならないので添付物品が使用されることなく放置されてしまうことも多く、添付物品によるアピール効果を減少させていた。
【先行技術文献】
【特許文献】
【０００５】
【特許文献１】特開平８−２３０８９２号公報
【特許文献２】特開平９−３２８１４０号公報
【考案の概要】
【考案が解決しようとする課題】
【０００６】
本考案は、上記従来技術の問題点に鑑みてなされたものであって、本考案の目的は、ダイレクトメールに添付物品を同封した際に、添付物品の位置ずれ、内容物の乱雑化のために添付物品が目立たなること及び添付物品を用いるための容器調達の手間がかかるために添付物品が使用されないことを防止し、ダイレクトメールに添付する添付物品のアピール効果を高めるダイレクトメール用封筒を提供することにある。
【課題を解決するための手段】
【０００７】
上記目的を達成するためになされた本考案の一態様によるダイレクトメール用封筒は、対向する第１面及び第２面を有し添付物品を内部に収納可能な本体部と、この本体部の長さ方向の１端部を封鎖する底部とからなり、全体が耐水性素材によって形成された封筒であって、前記底部が面状となって展開可能に折り込まれ、前記本体部の長さ方向と交差する方向に切断したとき、切り離された前記底部側が自立して前記添加物品を用いるための自立性耐水容器として使用可能となっており、前記第１面に宛名シールを貼るためのスペース部が設けられ、前記第２面の内面上部に前記添付物品を収納するポケット部が設けられ、前記第２面の前記ポケット部に対応した部分に透明窓部が設けられるとともに透明窓部の下側に前記添付物品の説明文及び前記自立性耐水容器としての説明文が表示されていることを特徴とする。
【０００８】
前記添付物品は、植物の種又は植物の種と圧縮された植栽用土を含む発芽・植栽キットであり、前記自立性耐水容器は、発芽・植栽容器として用いることができることが好ましい。
【考案の効果】
【０００９】
本考案のダイレクトメール用封筒によれば、添付物品を収納するための内付けのポケットを有しているので、添付物品が封筒内で位置ずれしてしまうことやダイレクトメール文書内に紛れてしまうことがない。また、添付物品を収納するポケットには透明窓部が設けられているので、デザイン印刷等を行った不透明な封筒においても、添付物品が未開封状態でも視認できるので添付物品によるアピール効果により、ダイレクトメールの開封率を高めることができる。
【００１０】
更に、本考案のダイレクトメール用封筒によれば、封筒下部が自立性耐水容器として用いることができるので、添付物品が植物の種や毛髪染料などのように、発芽、植栽のための容器や髪染めの使い捨て容器を必要とする場合などにも、容器調達の手間がないため添付物品の使用を容易にし、添付物品によるアピール効果を高めることができる。
【図面の簡単な説明】
【００１１】
【図１】本考案の一実施形態に係るダイレクトメール用封筒の第１面側から見た平面図である。
【図２】本考案の一実施形態に係るダイレクトメール用封筒の第２面側から見た平面図である。
【図３】本考案の一実施形態に係るダイレクトメール用封筒の切り離された底部を自立性耐水容器としたときの概略斜視図である。
【考案を実施するための形態】
【００１２】
以下、本考案によるダイレクトメール用封筒を実施するための形態の具体例を図を参照して詳細に説明する。
図１は、本考案の一実施形態に係るダイレクトメール用封筒１０の第１面側から見た平面図であり、図２は、第２面側から見た平面図である。
【００１３】
本考案のダイレクトメール用封筒は、対向する第１面及び第２面を有し添付物品を内部に収納可能な本体部と、この本体部の長さ方向の１端部を封鎖する底部とからなり、全体が耐水性素材によって形成された封筒である。
ダイレクトメール用封筒１０を形成する耐水性素材としては、例えば、塩化ビニル樹脂や、ポリエチレン、ポリプロピレンなどのオレフィン系樹脂等の合成樹脂素材が挙げられる。
【００１４】
図１、２に示すように、本実施形態のダイレクトメール用封筒１０は、第１面に宛名シールを貼るためのスペース部４、自立性耐水容器として用いる際の切り取り位置を示す本体部１の長さ方向と交差する方向に設けられた切り取り線表示部８を有し、第２面に第２面の内面に設けられ、透明窓部６を有する添付物品を収納するためのポケット部５、添付物品の説明文及び自立性耐水容器としての説明文を表示した説明文表示部７、本体部１の長さ方向と交差する方向に設けられた切り取り線表示部８を有する本体部１と、本体部１の長さ方向の１端部を封鎖するように形成され、本体１の底部側が切り離されて底部側が自立して前記添加物品を用いるための自立性耐水容器として使用可能となるように、底部を面状とするための展開可能に折り込まれた折り込み部９を有する底部２が形成され、本体部１の長さ方向の両側部には第１面と第２面を接合するシール部１６が設けられている。
【００１５】
本体部１の第２面に設けられたポケット部５は、本体部１の第２面の内面側に形成され、添付物品を収納するために用いられる。ポケット部５の大きさは、第２面内の本体部１の開放された端部から自立性耐水容器として使用する際の切り取り線表示部８までの範囲で、添付物品が収納可能なように任意に設定できる。
ポケット部５の開放された端部の位置は、本体部１の開放された端部の位置と同一でも良いが、本体部１の開放された端部の位置に対し底部側に１〜２ｍｍずらしておくことが、添付物品を収納する際に収納が容易となることから好ましい。
【００１６】
ポケット部５に対応する本体部１の第２面には、収納された添付物品を視認可能なように透明にした透明窓部６が形成されている。
透明窓部６の位置は、本体部１の第２面内面に設けられたポケット部５の領域内で、説明文表示部７の位置と重複しない領域であれば、添付物品が視認可能なように任意の位置に設定できる。
【００１７】
本体部１及びポケット部５の材料の透明性は、全体が透明であっても透明窓部６を除く部分が不透明であってもよいが、透明窓部６を除く部分を不透明にすることにより、ポケット部５に収納される添付物品の視認が容易になるので好ましい。
【００１８】
本体部１の第２面に設けられた説明文表示部７は、添付物品の説明文及び自立性耐水容器としての説明文を表示したものである。例えば、添付物品が植物の種と圧縮された植栽用土を含む発芽・植栽キットの場合、説明文表示部７には、自立性耐水容器の作製方法、水の加え方、種の蒔き方、植物の育て方等の説明文が記載される。
説明文表示部７が形成される位置は、本体部１の第２面内で、透明窓部６の下側から切り取り線表示部８の間である。
【００１９】
本実施形態に係るダイレクトメール用封筒１０には、底部２に対向する開放された本体部１の端部に、内容物を収納した後の封止のためのフラップ部３が形成されている。
フラップ部３は、本体部１の第１面が延長されて形成され、折り返して糊付け、接着テープ、熱融着等の方法でダイレクトメール用封筒１０を封止する。
【００２０】
本体部１の長さ方向の１端部を封鎖するように形成された底部２は、底部を面状とするための展開可能に折り込まれた折り込み部９を有する。
本実施形態に係るダイレクトメール用封筒１０は、本体部１の第１及び第２面に設けられた切り取り線１４に沿って本体部１の長さ方向と交差する方向に本体部１を切断することによって、添加物品を用いるための自立性耐水容器が得られる。
【００２１】
図３は、本考案の一実施形態に係るダイレクトメール用封筒の切り離された底部を自立性耐水容器としたときの概略斜視図である。
図３に示す自立性耐水容器１５は、底部及び開放部がように、本体部１を切り取り線表示部８に記載された切り取り線１４に沿って切り取り、切り取った底部側の本体部１を広げ、底部２の折り込み部９を底部側に押し込むことによって、自立性耐水容器１５が得られる。
【００２２】
底部２に設けられた折り込み部９は、本体部１と本体部側部のシール部１６でシールされる。折り込み部９と本体部１とのシールは、本体部１の第１面と第２面の両方同時にシールしてもよいが、最底部側の一部に、折り込み部９と第１面、折り込み部９と第２面をそれぞれ別個にシールした部分を設けることは、自立性耐水容器１５の自立安定性が増すので好ましい。
【００２３】
本実施形態に係るダイレクトメール用封筒１０に同封される添付物品としては、例えば、植物の種、植物の種と植栽用土を含む発芽・植栽キット、髪染め剤試供品、水性塗料試供品等の発芽・植栽容器、髪染め剤や塗料の試用のための容器等を用いるものが挙げられるが、これらに限定されるものではない。
【００２４】
以上、本考案の実施形態について図面を参照しながら説明したが、本考案は、上述の実施形態に限られるものではなく、本考案の技術的範囲から逸脱しない範囲内で多様に変更実施することが可能である。
また、本考案の図面は、本考案の実施形態の理解のために寸法、形状を誇張して描いてあるが、本考案は、図面に記載された寸法、形状に限定されるものではなく、本考案の技術的範囲から逸脱しない範囲内で多様に変更実施することが可能である。
【符号の説明】
【００２５】
１      本体部
２      底部
３      フラップ部
４      スペース部
５      ポケット部
６      透明窓部
７      説明文表示部
８      切り取り線表示部
９      折り込み部
１０      ダイレクトメール用封筒
１４      切り取り線
１５      自立性耐水容器
１６      シール部
２０      草花の種袋
【図１】
0003191127.tif 000003
【図２】
0003191127.tif 000004
【図３】
0003191127.tif 000005